(57)【要約】【課題】合成樹脂製であってできるだけ平坦な部分の多い下枠フラットサッシを提供する。【解決手段】合成樹脂製の枠体１に障子２、３を走行自在に納めた下枠フラットサッシにおいて、下框４０は室内側及び室外側にそれぞれ下端から垂下される室内垂下部４３及び室外垂下部４４を備え、室内垂下部４３及び室外垂下部４４は下端部４５、４６を下框４０の室内面４１及び室外面４２よりもそれぞれ内側に形成し、下枠１０は障子２、３が走行する敷居面１１を略平坦に形成すると共に、室内垂下部４３及び室外垂下部４４の下端部４５、４６をそれぞれ納める室内溝１３、１５と室外溝１４、１６を長手方向に有し、室内溝１３、１５の室内側面１３ａ、１５ａは下框４０の室内面４１よりも室外側に位置し、室外溝１４、１６の室外側面１４ａ、１６ａは下框４０の室外面４２よりも室内側に位置する。【選択図】図１
2005264493.tif 000002
【特許請求の範囲】
【請求項１】
合成樹脂製の上下枠及び左右の縦枠を方形状に枠組みして枠体を構成し、該枠体に上下框及び左右の縦框から構成される障子を走行自在に納めてなる下枠フラットサッシにおいて、
上記下框は室内側及び室外側にそれぞれ下端から垂下される室内垂下部及び室外垂下部を備え、該室内垂下部及び室外垂下部は下端部を上記下框の室内面及び室外面よりもそれぞれ内側に形成し、
上記下枠は障子が走行する敷居面を略平坦に形成すると共に、上記室内垂下部及び室外垂下部の下端部をそれぞれ納める室内溝と室外溝を長手方向に有してなり、上記室内溝の室内側面は上記下框の室内面よりも室外側に位置し、上記室外溝の室外側面は上記下框の室外面よりも室内側に位置することを特徴とする下枠フラットサッシ。
【請求項２】
上記敷居面は下枠から突出する基部を室内側と室外側にそれぞれ備え、上記各基部にそれぞれ金属からなるレール部材を取付けて上記障子を案内するレールを形成し、室内側の上記レールに内障子を配置すると共に、室外側の上記レールに外障子を配置して引き違い障子を構成することを特徴とする請求項１記載の下枠フラットサッシ。
【請求項３】
上記敷居面は上記内障子用の室内溝よりも室内側に室内フラット面を備え、上記内障子用の室外溝と上記外障子用の室内溝の間に中間フラット面を備えると共に、上記外障子用の室外溝よりも室外側に室外フラット面を備え、上記室内フラット面と中間フラット面と室外フラット面及び室内外のレールの上面が略同じ高さに形成されてなることを特徴とする請求項２記載の下枠フラットサッシ。
【請求項４】
上記上下框及び左右の縦框は合成樹脂からなると共に、それぞれ略同形状に形成され、上記縦框のうち上記内障子と外障子で互いに対向する召合せ框は、下框においては室内垂下部及び室外垂下部にあたる部分を被覆する側面構成部材を備え、該側面構成部材から召合せ面にかけて金属からなる煙返し部材を上記内障子と外障子にそれぞれ設け、上記各煙返し部材は互いに連係する連係部をそれぞれ備えたことを特徴とする請求項２または３記載の下枠フラットサッシ。
【請求項５】
上記室内垂下部及び室外垂下部の下端部はそれぞれ水密材を保持し、該水密材が上記室内溝及び室外溝にそれぞれ当接することを特徴とする請求項１〜４のいずれか１項に記載の下枠フラットサッシ。
【発明の詳細な説明】
【技術分野】
【０００１】
本発明は合成樹脂からなる上下枠及び左右の縦枠を枠組みした枠体に障子を走行自在に納めたサッシに関し、特に下枠の敷居面の凹凸を極力排除して平坦に形成してなる下枠フラットサッシに関する。
【背景技術】
【０００２】
従来から、上下枠及び左右の縦枠を合成樹脂により構成し、それらを方形状に枠組みしてなる枠体に障子を走行自在に納めた樹脂サッシが知られている。ここで、障子を構成する上下框及び左右の縦框も合成樹脂により構成すれば、枠体と障子を全て合成樹脂にて構成したサッシとすることができる。このような樹脂サッシとしては、例えば特許文献１や特許文献２に挙げるようなものがある。
【０００３】
また、樹脂サッシにおいて、下枠の上面における凹凸を極力排除して、敷居面を略フラットになるように形成したものがある。例えば特許文献３に示すようなものである。この樹脂からなる下枠フラットサッシは、障子の下框を納める凹状の溝をレールの室内側と室外側にそれぞれ有し、室内側障子の下框を納める溝と室外側障子の下框を納める溝とを突部で隔て、レール及び突部の上端を室内側及び室外側の床面と略同じ高さとしてなっている。
【特許文献１】特開平８−２４００７６号公報
【特許文献２】特開平１１−１３３４２号公報
【特許文献３】特開平１０−１１５１５２号公報
【発明の開示】
【発明が解決しようとする課題】
【０００４】
しかし、従来の合成樹脂製の下枠フラットサッシは、レールの上端や突部の上端が略同じ高さとされているものの、凹状の溝部幅が下枠の見込方向に大きな割合を占めるために、平坦な部分が少なく、室内外に通行する際の障害になりやすいと共に、サッシの強度を十分確保するのが困難である。
【０００５】
本発明は、上記課題を解決すべくなされたものであり、合成樹脂製であってできるだけ平坦な部分の多い下枠フラットサッシを提供することを目的とする。
【課題を解決するための手段】
【０００６】
上記課題を解決するため、本発明に係る下枠フラットサッシは、合成樹脂製の上下枠及び左右の縦枠を方形状に枠組みして枠体を構成し、該枠体に上下框及び左右の縦框から構成される障子を走行自在に納めてなる下枠フラットサッシにおいて、
上記下框は室内側及び室外側にそれぞれ下端から垂下される室内垂下部及び室外垂下部を備え、該室内垂下部及び室外垂下部は下端部を上記下框の室内面及び室外面よりもそれぞれ内側に形成し、
上記下枠は障子が走行する敷居面を略平坦に形成すると共に、上記室内垂下部及び室外垂下部の下端部をそれぞれ納める室内溝と室外溝を長手方向に有してなり、上記室内溝の室内側面は上記下框の室内面よりも室外側に位置し、上記室外溝の室外側面は上記下框の室外面よりも室内側に位置することを特徴として構成されている。
【０００７】
また、本発明に係る下枠フラットサッシは、上記敷居面は下枠から突出する基部を室内側と室外側にそれぞれ備え、上記各基部にそれぞれ金属からなるレール部材を取付けて上記障子を案内するレールを形成し、室内側の上記レールに内障子を配置すると共に、室外側の上記レールに外障子を配置して引き違い障子を構成することを特徴として構成されている。
【０００８】
さらに、本発明に係る下枠フラットサッシは、上記敷居面は上記内障子用の室内溝よりも室内側に室内フラット面を備え、上記内障子用の室外溝と上記外障子用の室内溝の間に中間フラット面を備えると共に、上記外障子用の室外溝よりも室外側に室外フラット面を備え、上記室内フラット面と中間フラット面と室外フラット面及び室内外のレールの上面が略同じ高さに形成されてなることを特徴として構成されている。
【０００９】
さらにまた、本発明に係る下枠フラットサッシは、上記上下框及び左右の縦框は合成樹脂からなると共に、それぞれ略同形状に形成され、上記縦框のうち上記内障子と外障子で互いに対向する召合せ框は、下框においては室内垂下部及び室外垂下部にあたる部分を被覆する側面構成部材を備え、該側面構成部材から召合せ面にかけて金属からなる煙返し部材を上記内障子と外障子にそれぞれ設け、上記各煙返し部材は互いに連係する連係部をそれぞれ備えたことを特徴として構成されている。
【００１０】
そして、本発明に係る下枠フラットサッシは、上記室内垂下部及び室外垂下部の下端部はそれぞれ水密材を保持し、該水密材が上記室内溝及び室外溝にそれぞれ当接することを特徴として構成されている。
【発明の効果】
【００１１】
本発明に係る下枠フラットサッシによれば、下框の室内垂下部及び室外垂下部の下端部を下框の室内面及び室外面よりもそれぞれ内側に形成して、下枠の室内溝の室内側面は下框の室内側面よりも室外側に位置し、室外溝の室外側面は下框の室外側面よりも室内側に位置することにより、下枠の室内溝及び室外溝を見込方向に小さく形成すると共に。下枠の各溝に納められる下框の下端部を見込方向に小さく形成しているので、合成樹脂製の下枠において、平坦な面を広く形成することができる。これによって室内外方向に通行しやすく、また強度も確保した合成樹脂製の下枠フラットサッシとすることができる。
【００１２】
また、本発明に係る下枠フラットサッシによれば、敷居面に形成された基部に金属からなるレール部材を取付けているので、障子の走行時における荷重を支える強度をレールに持たせることができる。
【００１３】
さらに、本発明に係る下枠フラットサッシによれば、レールの上面や室内フラット面及び室外フラット面と略同じ高さに形成される中間フラット面を備えているので、下枠の平坦な面をより広くすることができる。
【００１４】
さらにまた、本発明に係る下枠フラットサッシによれば、召合せ框は側面構成部材を備え、この側面構成部材から召合せ面にかけて金属からなる煙返し部材を設けていることにより、連係部の強度を確保し、強固な連係をさせることができ、サッシの気密性を高めることができる。
【００１５】
そして、本発明に係る下枠フラットサッシによれば、下框の下端部に水密材を設け、室内溝及び室外溝に当接することにより、雨水等の浸入を防ぐことができる。
【発明を実施するための最良の形態】
【００１６】
本発明の実施形態について図面に沿って詳細に説明する。図１は本実施形態における下枠フラットサッシの縦断面図、図２は下枠フラットサッシの横断面図である。これら各図において、本実施形態における下枠フラットサッシは、建物開口部に装着された合成樹脂製の下枠１０、上枠２０、及び縦枠３０、３０からなる樹脂枠体１内に、合成樹脂製の下框４０、上框５０、及び縦框６０、６０を框組みしてガラス体７４を納めてなる内障子２及び外障子３を引違い状に走行自在に納めると共に、外障子３の室外側に網戸４を納めてなるものである。
【００１７】
樹脂枠体１を構成する下枠１０、上枠２０、及び縦枠３０はいずれも合成樹脂により中空状に形成されている。これらの各端部はそれぞれ傾斜状に形成されており、端部同士を突き合わせて溶着させることで、樹脂枠体１を方形状に枠組みする。
【００１８】
内障子２及び外障子３を構成する下框４０、上框５０、及び縦框６０はいずれも合成樹脂により中空状に形成されている。また、下框４０、上框５０、及び縦框６０のいずれも断面形状が略同形状となるように形成されている。下框４０は内部に金属からなる補強材４７を有すると共に、この補強材４７に車輪７２を取付けて内障子２及び外障子３を走行自在とする。また、上框５０と縦框６０も内部にそれぞれ金属からなる補強材５１、６５を有する。
【００１９】
補強材４７、５１、６５を内部に有する各框は端部を傾斜状に形成されており、ガラス体７４を保持するように端部同士を突き合わせて溶着させることで、内障子２及び外障子３を形成する。なお、各框を溶着するのではなく、ボルト固定により各框を連結して内障子２及び外障子３を形成するようにしてもよい。
【００２０】
本発明に係る下枠フラットサッシは、下枠１０の敷居面１１を略平坦となるように形成してなるものである。そこで、この下枠１０と敷居面１１を走行する下框４０との構成についてより詳細に説明する。図３には図１の下枠１０付近の拡大図を示している。
【００２１】
図３に示すように、敷居面１１は下枠１０の上面であって、フラット面として室内側から順に室内側フラット面１１ａと中間フラット面１１ｂ及び室外側フラット面１１ｃを備えている。また、室内側フラット面１１ａと中間フラット面１１ｂの間と、中間フラット面１１ｂと室外側フラット面１１ｃとの間に、それぞれ内障子２及び外障子３を走行自在とするレール部１２、１２が形成されている。
【００２２】
これらの室内側フラット面１１ａと中間フラット面１１ｂ、室外側フラット面１１ｃ及びレール部１２、１２の上面は略同じ高さとなるように形成されており、これにより敷居面１１が略平坦とされている。
【００２３】
また、室内側のレール部１２と室内側フラット面１１ａの間には内障子室内溝１３が形成され、室内側のレール部１２と中間フラット面１１ｂの間には内障子室外溝１４が形成される。さらに、室外側のレール部１２と中間フラット面１１ｂの間には外障子室内溝１５が形成され、室外側のレール部１２と室外側フラット面１１ｃの間には外障子室外溝１６が形成される。
【００２４】
これら内障子室内溝１３、内障子室外溝１４、外障子室内溝１５、及び外障子室外溝１６は、内障子２や外障子３が走行する際に、下框４０の下端部を案内するものであると共に、底面に排水孔を備えており、下枠１０に浸入する雨水を外部に排出させるものである。
【００２５】
レール部１２は、下枠１０において各溝の底面の高さから上方に向かって突出した基部１２ａにレール部材１２ｂを取付けて構成される。基部１２ａは凹状に形成され、レール部材１２ｂは基部１２ａに差込み自在に形成される。また、レール部材１２ｂの上面には凸部１２ｃが形成されており、この凸部１２ｃに内障子２または外障子３の車輪７２が戴置されて、走行自在とされる。
【００２６】
室内側フラット面１１ａは、室内側の床面と略同じ高さとなるように形成されると共に、その下部は中空状に形成されて室内中空部１８ａを構成している。室外側フラット面１１ｃは、室外側に設けられるデッキ等の床面と略同じ高さとなるように形成されると共に、その下部は中空状に形成されて室外中空部１８ｂを構成している。また、室外側フラット面１１ｃには、網戸４を案内する溝部１１ｄとレール部１１ｅがいずれも長手方向略全長に渡って形成されている。
【００２７】
下枠１０の室内側端部と室外側端部にそれぞれ室内中空部１８ａ及び室外中空部１８ｂが形成されているので、敷居面１１のフラット部分を大きくすることができると共に、大きな力がかかりやすい下枠１０の端部の強度を充分に確保することができる。特に、本発明に係るサッシは、合成樹脂により形成された樹脂サッシであることから強度を確保できることは大きなメリットとなる。
【００２８】
中間フラット面１１ｂは、下枠１０に対し着脱自在に取付けられる下枠カバー体７０の上面によって構成されている。下枠１０には、障子の召合せ部分を除く長手方向略全長に渡って、内障子室外溝１４の室外側面１４ａ及び外障子室内溝１５の室内側面１５ａをそれぞれ構成する突出状の中間基部１９が形成されており、下枠カバー体７０は、この中間基部１９に対して着脱自在とされる取付部７０ａを下部に備えている。下枠カバー体７０は、障子の召合せ部分を除く長手方向略全長に渡って設けられており、その上面を略フラットに形成されて下枠１０の中間フラット面１１ｂを構成する。
【００２９】
内障子２と外障子３の召合せ部分には気密ブロック８０が設けられる。図４には、内障子２と外障子３の召合せ部分における下枠１０付近の縦断面図を示す。また、図５には気密ブロック８０の斜視図を示す。これらの図に示すように、気密ブロック８０は中間基部１９を召合せ部分で切り欠いて形成された召合せ空間部１９ａに配置されるブロック状の部材であって、その上面は内障子２における下框４０の室外側下端部４６と外障子３における下框４０の室内側下端部４５に当接する。
【００３０】
また、気密ブロック８０は樹脂材からなると共に、内障子２及び外障子３と当接する上面は軟質材からなるヒレ状部８０ａにより構成されている。気密ブロック８０は、内障子２と外障子３を閉じた状態において、召合わされる框の下端部にヒレ状部８０ａが当接することで、召合せ部分における気密性及び水密性を確保することができる。
【００３１】
下枠カバー体７０は、気密ブロック８０の両側端部から下枠１０の長手方向端部近傍に渡って設けられる。これによって、室内外のレール部１２、１２間には長手方向中央部に配置される気密ブロック８０を介して２つの下枠カバー体７０、７０をそれぞれ内障子２と外障子３に対応して設けることになる。
【００３２】
下枠カバー体７０は、下枠１０の中間基部１９に対して係合状に取付けられるので、容易に着脱することができる。下枠フラットサッシで平坦な面を極力広くすると、障子を案内する各溝の見込方向幅が小さくなって清掃作業が困難になるのに対し、本実施形態の下枠フラットサッシでは、下枠カバー体７０及び気密ブロック８０を下枠１０に対して着脱自在に取付けることにより中間フラット面１１ｂを取り外すことができるので、清掃作業を容易にすることができる。
【００３３】
また、下枠カバー体７０は、上面の見込方向幅を大きくするために、下枠１０の中間基部１９よりも室内方向及び室外方向に突出する突出部７０ｂ、７０ｂを有しており、室内方向に突出する部分の上面は内障子２における室外垂下部４４の下面４４ａと対向し、一方で室外方向に突出する部分の上面は外障子３における室内垂下部４３の下面４３ａと対向する。
【００３４】
次に、敷居面１１を走行自在とされる下框４０について詳細に説明する。図３に示すように、内障子２と外障子３のいずれも下框４０の室内側の下端から垂下する室内垂下部４３を備えると共に、下框４０の室外側の下端から垂下する室外垂下部４４を備えている。
【００３５】
室内垂下部４３は、その下端に下框４０の室内面４１よりも室外側に配置される室内側下端部４５を有しており、室外垂下部４４は、その下端に下框４０の室外面４２よりも室内側に配置される室外側下端部４６を有している。すなわち、室内垂下部４３及び室外垂下部４４は、いずれもその下端部が下框４０の室内外面よりも内側に形成されている。
【００３６】
内障子２の室内側下端部４５と室外側下端部４６は、それぞれ内障子室内溝１３及び内障子室外溝１４内に配置されて、内障子２の走行時に案内される。また、外障子３の室内側下端部４５と室外側下端部４６は、それぞれ外障子室内溝１５及び外障子室外溝１６内に配置されて、外障子３の走行時に案内される。
【００３７】
また、内障子２及び外障子３とも室内側下端部４５と室外側下端部４６には、レール部１２と対向する面にそれぞれ水密材７３、７３が設けられており、室外側からの雨水の浸入を防いでいる。
【００３８】
ここで、下枠１０の内障子室内溝１３の室内側面１３ａは、下框４０の室内面４１よりも室外側に配置され、下枠１０の内障子室外溝１４の室外側面１４ａは、下框４０の室外面４２よりも室内側に配置されている。また、下枠１０の外障子室内溝１５の室内側面１５ａは、下框４０の室内面４１よりも室外側に配置され、下枠１０の外障子室外溝１６の室外側面１６ａは、下框４０の室外面４２よりも室内側に配置されている。したがって、下框４０は下枠１０の各溝に以下のように納まる。
【００３９】
内障子２における下框４０の室内垂下部４３は、下面４３ａが下枠１０の室内側フラット面１１ａと対峙すると共に、下面４３ａよりも室外側、すなわち下框４０の内側においてさらに垂下された室内側下端部４５が内障子室内溝１３に納められる。また、内障子２における下框４０の室外垂下部４４は、下面４４ａが下枠１０の中間フラット面１１ｂと対峙すると共に、下面４４ａよりも室内側、すなわち下框４０の内側においてさらに垂下された室外側下端部４６が内障子室外溝１４内に納められる。
【００４０】
さらに、外障子３における下框４０の室内垂下部４３は、下面４３ａが下枠１０の中間フラット面１１ｂと対峙すると共に、下面４３ａよりも室外側、すなわち下框４０の内側においてさらに垂下された室内側下端部４５が外障子室内溝１５に納められる。そして、外障子３における下框４０の室外垂下部４４は、下面４４ａが下枠１０の室外側フラット面１１ｃと対峙すると共に、下面４４ａよりも室内側、すなわち下框４０の内側においてさらに垂下された室外側下端部４６が外障子室外溝１６内に納められる。
【００４１】
このように、下框４０の下端部の見込方向幅について、水密材７３を保持できる程度に小さく形成することで、敷居面１１の各フラット面を下框４０の室内外面よりも内側まで設けることができて、敷居面１１の平坦な面を見込方向により広く形成することができる。
【００４２】
各框は断面形状が略同形状となるように形成されているので、図２に示すように縦框６０にも下框４０の室内垂下部４３や室外垂下部４４に相当する部分が形成されている。召合せ框となる縦框６０はその側面が室内側に露出するので、このままではサッシの意匠性を損ねることになり、また側面に設けられるクレセント６２も取付けることが困難である。そこで、縦框６０における下框４０の室内垂下部４３や室外垂下部４４に相当する側面には、それを覆うように側面構成部材６１を設けている。
【００４３】
側面構成部材６１は、召合せ框となる縦框６０の側面を長手方向略全長に渡って略覆うと共に、クレセント６２が取付けられる側面を平面状に形成し、縦框６０に対しては、係止状に取付けられる。なお、側面構成部材６１は、内障子２及び外障子３のいずれにも取付けられる。
【００４４】
また、側面構成部材６１から縦框６０の互いに対向する召合せ面にかけては、金属からなる煙返し部材６３を設けている。煙返し部材６３は、ねじ止めにより縦框６０に対して固定される。また、内障子２と外障子３にそれぞれ設けられる各煙返し部材６３、６３は、互いに連係する連係部６３ａをそれぞれ備えている。連係部６３ａは、内障子２と外障子３を閉じた状態において、互いに重合状とされて連係される。煙返し部材６３が合成樹脂からなる場合には、強度的な問題から強固な連係をさせることはできないが、金属からなる煙返し部材６３を設けることで、連係部６３ａの強度を確保し、強固な連係をさせることができる。すなわち、気密性を高めることができる。
【００４５】
次に、本実施形態における下枠フラットサッシの排水構造について説明する。排水構造としては、下枠１０の各溝がそれぞれ排水孔を有し、浸入した水がこの排水孔を介して中空部１７に導かれ、中空部１７からさらに外部排水孔を介して外部に排出されるようにされている。図６には、排水構造について示した下枠付近の縦断面図を、図７には、障子を取り外した状態の下枠１０の平面図を示す。
【００４６】
図６に示すように、内障子室内溝１３には室内側のレール部１２を内障子室外溝１４まで貫通する排水孔１３ｂが形成されている。したがって、内障子室内溝１３に浸入した水は、排水孔１３ｂを介して内障子室外溝１４に導かれる。また、内障子室外溝１４にはその底面に下枠１０の中空部１７と連通する排水孔１４ｂが形成されている。外障子室内溝１５にはその底面に下枠１０の中空部１７と連通する排水孔１５ｂが形成され、さらに外障子室外溝１６にはその底面に下枠１０の中空部１７と連通する排水孔１６ｂが形成されている。
【００４７】
下枠１０の中空部１７は図６に示すように複数の領域に分かれ、排水孔１４ｂ及び排水孔１５ｂを介して中空部１７の室内側の領域に導かれた水は、連通孔１７ａを介して室外側の領域に導かれ、さらに連通孔１７ｂを介して下枠１０を補強する下枠補強材７１の中空部７１ａに導かれる。下枠補強材７１は外部と連通する外部排水孔７１ｂを備え、中空部７１ａに導かれた水は外部排水孔７１ｂを介して外部に排出される。
【００４８】
ここで、下枠補強材７１は、図６に示すように下枠１０の下方に配置され、下枠１０とねじ止め及び係合によって固定されている。下枠補強材７１は中空状に形成されたアルミの押出型材からなり、大きな荷重がかかる下枠１０を補強する機能を有すると共に、上述の外部排水孔７１ｂを備えることにより、中空部７１ａを介してサッシに侵入した雨水を外部に排出することができる。
【００４９】
このように中空部７１ａ及び外部排水孔７１ｂを備えた下枠補強材７１が下枠１０の下方に配置、固定されていることにより、外部排水孔７１ｂから敷居面１１に形成された各溝の底面までの高さを大きくすることができて、サッシに対して大量の水の浸入があった場合であっても、水位が敷居面１１の各溝まで達しにくい水密性の高いサッシとすることができる。
【００５０】
また、排水孔１６ｂを介して中空部１７の最も室外側の領域に導かれた水は、外部排水孔１７ｃを介して外部に排出される。このように外部排水孔を複数設けて排水を分散させることにより、サッシに侵入した水を効率よく排水させることができる。
【００５１】
図７に示すように、内障子室内溝１３の長手方向端部には戸当りストッパ８１が設けられており、この戸当りストッパ８１の下方に排水孔１３ｂが形成されている。また、内障子室外溝１４には長手方向端部近傍及び召合せ部分近傍にそれぞれ排水孔１４ｂが形成されている。ここで、室内側に露出する外障子３側の排水孔１４ｂには、水の逆流を防ぐ逆止弁が取付けられている。
【００５２】
また、外障子室内溝１５及び外障子室外溝１６にもそれぞれ長手方向端部近傍及び召合せ部分近傍にそれぞれ排水孔１５ｂ、１６ｂが形成されている。さらに、外部排水孔１７ｃ、７１ｂはそれぞれ下枠１０側面の長手方向端部近傍にそれぞれ設けられている。これら外部排水孔１７ｃ、７１ｂについても、外部から水が逆流しないように逆止弁が設けられている。
【００５３】
これまで本発明の実施形態について説明したが、本発明の適用はこの実施形態には限られず、その技術的思想の範囲内において様々に適用されうるものである。
【図面の簡単な説明】
【００５４】
【図１】本実施形態における下枠フラットサッシの縦断面図である。
【図２】本実施形態における下枠フラットサッシの横断面図である。
【図３】下枠付近の縦断面図である。
【図４】召合せ部分における下枠付近の縦断面図である。
【図５】下枠カバーと気密ブロックの斜視図である。
【図６】排水構造について示した下枠付近の縦断面図である。
【図７】図２において障子を取り外した状態の図である。
【符号の説明】
【００５５】
１    樹脂枠体
２    内障子
３    外障子
１０    下枠
１１    敷居面
１１ａ  室内側フラット面
１１ｂ  中間フラット面
１１ｃ  室外側フラット面
１２    レール部
１２ａ  基部
１２ｂ  レール部材
１３    内障子室内溝
１４    内障子室外溝
１５    外障子室内溝
１６    外障子室外溝
２０    上枠
３０    縦枠
４０    下框
４３    室内垂下部
４４    室外垂下部
４５    室内側下端部
４６    室外側下端部
５０    上框
６０    縦框
６１    側面構成部材
６３    煙返し部材
６３ａ  連係部
７０    下枠カバー体
７３    水密材
８０    気密ブロック
【図１】
2005264493.tif 000003
【図２】
2005264493.tif 000004
【図３】
2005264493.tif 000005
【図４】
2005264493.tif 000006
【図５】
2005264493.tif 000007
【図６】
2005264493.tif 000008
【図７】
2005264493.tif 000009